(57)【要約】【課題】伸縮自在脚で脚長調整装置が設けられている脚立において、段差や凹凸等がある不整地、あるいは傾斜地等において使用する際、ロック解除や脚長調整をおこなう操作が、面倒で、時間が掛かり、水平に安定設置させるのが難しかった。【解決手段】脚立の天板の裏側に納めた操作レバー８を、使用者が立った姿勢で脚立を持ったまま操作することで、四本の伸縮自在脚のロック解除を同時に行う脚長調整装置を設ける。ワイヤー等の伝導体１５は、ロック機構５のレバー２３に接着され、そこからチューブ１６の中を通され、天板７の裏に収めてあるフレキシブルな操作レバー８の中を通され、もう一つのチューブ１６を通されて、対向するもう一つのレバー２３に、接着され繋がっている。【選択図】      図１
2005061033.tif 000002
【特許請求の範囲】
【請求項１】
中空状上部脚部材および上部が上部脚部材の下部内に嵌め入れられた摺動自在な下部脚部材よりなる伸縮自在脚を備えている脚立における脚長調整装置であって、上部脚部材の下部分に設けてある伸縮脚のロック解除のレバーがすべて天板の裏側に収めてある別のレバーに伝動体で連動させてあり、使用者が立った姿勢で四本の伸縮自在脚のロック解除及びロックを同時に行う操作レバーを設けたことを特徴とする脚長調整装置。
【発明の詳細な説明】
【技術分野】
【０００１】
この発明は、段差や凹凸等がある不整地、あるいは傾斜地等において使用する伸縮自在脚を備えた脚立の脚長調整装置に関する。
【背景技術】
【０００２】
段差や凹凸等がある不整地、あるいは傾斜地等において使用する伸縮自在脚を備えた従来の脚立では、図７に示すように、各脚が上部脚部材３３および下部脚部材３４よりなる伸縮自在脚とされ各脚には脚長調整装置３５が設けてある。
【０００３】
使用する際にはまず脚長調整装置３５のロック解除レバー３６を指先で引き上げてロックの解除を行い、その状態のままで下部脚部材３４を上下に移動させて脚を伸縮させ、所要の長さのところでロック解除レバー３６を手放すことによりロックが掛かり必要な脚の長さが得られるというものである。
【発明の開示】
【発明が解決しようとする課題】
【０００４】
しかしながら、以上の技術によれば、脚長調整装置のロック解除や脚長調整をおこなうのに、使用者が一脚ずついちいちしゃがんで操作しなければならず、面倒であり時間が掛かるという問題や、水平に安定設置させるのが難しいという問題があった。
【０００５】
そこで、この発明は、脚立の使用者が、立った姿勢で脚立を持ったまま同時に四脚すべてのロック解除を行い、水平に設置するのに必要な長さに伸ばして、ロックを掛ける脚長調整装置を提供することを課題とする。
【課題を解決するための手段】
【０００６】
以上の課題を解決するために、この発明は、中空状上部脚部材および上部が上部脚部材の下部内に嵌め入れられた摺動自在な下部脚部材よりなる伸縮自在脚を備えている脚立における脚長調整装置であって、上部脚部材の下部分に設けてある伸縮脚のロック解除のレバーがすべて天板の裏側に収めてある別のレバーに伝動体で連動させてあり、使用者が立った姿勢で四本の伸縮自在脚のロック解除及びロックを同時に行う操作レバーを設けたことを特徴とする脚長調整装置である。
【発明の効果】
【０００７】
この発明の脚長調整装置によれば、脚立の天板の裏側に収めた脚長調整装置の操作レバーを、使用者が立った姿勢で脚立を持ったまま操作することができ、四本の伸縮自在脚のロック解除を同時に行うことができる。したがって、従来の脚長調整装置に比べてその作業が楽で時間が掛からず、水平にぐらつきなく設置させるのが簡単である。
【発明を実施するための最良の形態】
【０００８】
この発明の一実施形態を、以下図面を参照して説明する。図１から図３は、四本の脚２がすべて伸縮自在である脚立１を示しており、各脚２は、上部脚部材３および上部が上部脚部材３の下部内に嵌め入れられた摺動自在な下部脚部材４よりなり、各脚２には、下部脚部材４を所要の長さで固定する脚長調整装置のロック機構５が設けられている。
【０００９】
ロック機構５は、塵や誤作動を防ぐため、プラスチック製のカバー６が覆われ接着材等で固定されている。天板７の裏側には、脚長調整装置の操作レバー８が収められている。一対の上部脚部材３は、下端から上端側へ向かって徐々に幅狭になるよう配置されていて、それぞれの下端にエンドキャップ９が外嵌固定されている。下部脚部材４の下端には、接地ブロック１０が外嵌固定されている。
【００１０】
図４から図５において、上部脚部材３は、断面四角形で中空状の基枠部１１と、基枠部１１の内側面に突接した断面Ｃ字形の補助枠部１２とを一対に形成したアルミニウム合金製形材であり、後者枠部１２に踏桟１３の両側端を外嵌してリベット１４で固定されている。補助枠部１２の内部に、ワイヤー等の伝動体１５を通したチューブ１６が配管されている。
【００１１】
下部脚部材４は、断面コの字形で中空状のアルミウム合金製形材であり、上から下まで縦溝１７があり、上端にアルミウム合金製の板１８がリベット１９で埋め込められている。その反対側の面に、上から下まで連続した横溝がノコギリの歯状に削り出しによって面２０が加工されている。
【００１２】
その加工された面２０が、内側どうし向かい合うように上部脚部材３の基枠部１１の下部内に上下摺動自在に嵌め入れられている。下部脚部材４は、基枠部１１の下部内にゆるく嵌め入れられる太さであり、下方向に対して何も障害が無くロックを掛かけてなければ、その自重によって下がるようになっている。
【００１３】
下部脚部材４が下がり過ぎて基枠部１１から抜け落ちなくするため、基枠部１１の下端部分の内側に、下部脚部材４の縦溝１７の凹部内に沿って収まるアルミウム合金製の板２１をリベット２２で固定してある。したがって、下部脚部材４は、自重によって下がっても板１８が板２１に当たり、その位置以上は下がらなくなっている。
【００１４】
図１は、脚立１に設けられている二組の脚長調整装置の一組を示してある。ワイヤー等の伸縮しない伝導体１５は、ロック機構５のレバー２３に溶接などによって接着され、そこからチューブ１６の中を通され、天板７の裏側に収めてある操作レバー８の収納金具２４の穴２５を通され、操作レバー８の中を通され、もう一方の穴２５を通され、チューブ１６を通されて、対向するもう一つのロック機構５のレバー２３に、弛み余りが無くロックの状態の長さで溶接などによって接着されている。
【００１５】
図５において、ロック機構５のレバー２３は、アルミニウム合金鋳物であり、軸２６で回転自在に補助枠部１２の内側に固定されている。レバー２３は、軸２６より、伝導体１５が接着して部分と、下部脚部材４に加工されている面２０と同じで重なり合う形をした面２７の部分とに分かれる形になっている。
【００１６】
この面２７は、補助枠部１２の基枠部１１側に開けられた穴２８を通って、下部脚部材４に加工されている面２０に重なり合うようになっている。トーションバネ２９は、軸２６に通されて一方のアームを補助枠部１２の内面で基枠部１１側に押し当て、もう一方のアームをレバー２３に押し当て回転自在に固定されている。
【００１７】
トーションバネ２９によってレバー２３の面２７が、下部脚部材４の面２０に押し付けられて、使用者が何もしない限り、重なり合う状態を保ち、下部脚部材４は、上下摺動できず、ロックが掛かっている状態となっている。
【００１８】
伝導体１５を通している伸縮しない材質で形成されたチューブ１６の下端は、鉄板をＵ字形に折り曲げた取り付け金物３０に挟まれて、補助枠部１２の内側にリベット３１で固定されている。チューブ１６の上端は、補助枠部１２に開けられた穴３２より出されて操作レバー７の固定金物２４の穴２５に当てられている。
【００１９】
天板の裏に設けある操作レバー８は、フレキシブルなチューブであり、鉄板を加工し、天板７の裏面に固定された収納金具２４の二つの穴２５の間に、ちょうど当たる長さで収めてある。
【００２０】
即ち、図６において、使用者が、操作レバー８を引くと、図５の伝導体１５が上方向へスライドし、レバー２３をひきあげようとする。トーションバネ２９の開く力が負けると、レバー２３が上方向に引き上げられ、面２７が下部脚部材３の面２０から離されロック解除となり、下部脚部材４が上下摺動自在となる。
【００２１】
「実地形態の効果」
使用者は、両手で天板７を持ち上げ、脚立を水平に浮かしながら、片方ずつ二つの操作レバー８を同時に引くことができる。また、片手で天板７を持ち上げ、脚立を水平に浮かしながら、もう一方の手で二つの操作レバー８を同時に引くことができる。
【００２２】
この発明の脚長調整装置が設けてある脚立を、段差や凹凸等がある不整地、あるいは傾斜地等において使用する場合、まず、脚立の四本の脚が接地する地点の高低差が、伸縮脚の伸ばせる最大の長さ以内の位置を選ぶ。
【００２３】
その位置で使用者が、四本の伸縮脚を最大限縮ませてロックを掛けた状態で、立った姿勢のまま持ち上げ、いちばん高い地点に一本の脚を接地させ水平に保つ。二つの操作レバー８を同時に引くと、ロック解除され、接地していない三本の脚の下部脚部材４が自重によって下がり、水平に保つのに必要な長さで接地して止まる。そのまま、二つの操作レバー８を放すと、四本の脚すべてロックが掛かり、簡単に脚立が水平に安定して設置できる。
【００２４】
伸縮脚を縮めるときは、一つの操作レバー８を引き、二つ伸縮脚のロックを解除し脚立を下ろし放す。もう片方も同様に行えばよい。水平面上であれば、二つの操作レバー８を引きながら下ろせばよい。
【００２５】
この脚立の梯子体を、回転方向に広げて一体の梯子とした場合にも、接地する二本の脚の長さ調整が接地側の一つの操作レバーの引き放しによって行える。
【図面の簡単な説明】
【００２６】
【図１】脚立の内側の正面図である。
【図２】脚立の側面図である。
【図３】脚立の斜視図である。
【図４】図１におけるＡ−Ａ線断面図である。
【図５】図２におけるＢ−Ｂ線断面図である。
【図６】脚立の使用例の上面図である。
【図７】従来技術を示す脚立の正面図である。
【符号の説明】
【００２７】
１  脚立
２  伸縮脚
３  上部脚部材
４  下部脚部材
５  脚長調整装置のロック機構
６  プラスチック製のカバー
７  天板
８  脚長調整装置の操作レバー
９  エンドキャップ
１０  接地ブロック
１１  上部脚部材の基枠部
１２  上部脚部材の補助枠部
１３  脚立の踏桟
１４  踏桟を固定するリベット
１５  ワイヤー等の伸縮しない伝導体
１６  伝動体１５を通したチューブ
１７  下部脚部材４の縦溝
１８  アルミウム合金製の板
１９  １８を固定するリベット
２０  下部脚部材４に加工された面
２１  アルミウム合金製の板
２２  ２１を固定するリベット
２３  ロック機構５のレバー
２４  操作レバー８の収納金具
２５  固定金具２４の穴
２６  軸
２７  面２０と同じ面
２８  面２７が通る穴
２９  トーションバネ
３０  取り付け金物
３１  ３０を固定するリベット
３２  チューブ１６が出てきている穴
３３  従来技術の上部脚部材
３４  従来技術の下部脚部材
３５  従来技術の脚長調整装置
３６  従来技術のロック解除レバー
【図１】
2005061033.tif 000003
【図２】
2005061033.tif 000004
【図３】
2005061033.tif 000005
【図４】
2005061033.tif 000006
【図５】
2005061033.tif 000007
【図６】
2005061033.tif 000008
【図７】
2005061033.tif 000009